(57)【要約】【課題】上ケース部材及び下ケース部材の勘合力を損なわれず、携帯電子機器に装着された状態での統一感のあるデザインを確保することができる電池パックを提供する。【解決手段】皿状をした第１のケース部材と第２のケース部材の開口縁同士を突き合わせて構成されるケースと、ケース内に収納される素電池と、を備え、機器装着時にケースの一部が機器の外方に露出する露出部を有する電池パックであって、第１のケース部材は、露出部が配置され、更に露出部の裏面に接合された第１の勘合部とを有し、第２のケース部材は、第１の勘合部と勘合する第２の勘合部を有している。【選択図】図２
2014216155.tif 000002
【特許請求の範囲】
【請求項１】
皿状をした第１のケース部材と第２のケース部材の開口縁同士を突き合わせて構成されるケースと、
前記ケース内に収納される素電池と、
を備え、
機器装着時に前記ケースの一部が前記機器の外方に露出する露出部を有する電池パックであって、
前記第１のケース部材は、前記露出部が配置され、更に前記露出部の裏面に接合された第１の勘合部とを有し、
前記第２のケース部材は、前記第１の勘合部と勘合する第２の勘合部を有していることを特徴とする電池パック。
【請求項２】
前記第１の勘合部は、
前記露出部の裏面に接合されて、前記第１のケース部材の底面から開口縁方向に延びたリブと、
前記リブに接合されて、前記露出部に平行な勘合板とを有し、
前記第２の勘合部は、前記露出部と、前記リブと、前記勘合板で形成された空間に挿入されることを特徴とする請求項１に記載の電池パック。
【請求項３】
前記露出部の裏面に接合されたリブをｎ（ｎ＝１以上の整数）個有し、
前記第２の勘合部をｎ＋１個分けることを特徴とする請求項２記載の電池パック。
【発明の詳細な説明】
【技術分野】
【０００１】
本発明は、電池パックに関し、特に電池パックの外観にパーティングラインが表れ難くするための技術に関する。
【背景技術】
【０００２】
近年、ノートブック型ＰＣをはじめ、携帯電話機、トランシーバー、携帯情報端末（ＰＤＡ）、デジタルスチルカメラ等の携帯電子機器の電源として、電池パックが広く用いられている。
【０００３】
図５に示すように、従来の電池パック９０１は、皿状をした上ケース部材９０２及び下ケース部材９０３と、これらにより構成されるケース９０４に内包される複数の素電池９０５と、それら素電池９０５の端子間を接続するリード板９０９とからなる。
【０００４】
上ケース部材９０２の一部の凸状部９０２ａと下ケース部材９０３の一部の凸状部９０３ａは外部に突出していて、電池パック９０１におけるケース９０４の凸状部９０４ａを構成する。
【０００５】
図６は、従来の電池パック９０１が携帯電子機器１０１に装着された状態で、携帯電子機器１０１を背面側から見た時の模式図である。ケース９０４の凸状部９０４ａは、デザイン上の観点等から、電池パック９０１の携帯電子機器１０１と反対側の端面とともに外方に露出している。
【０００６】
図７（ａ）は、従来の電池パック９０１が携帯電子機器１０１に装着された状態で、携帯電子機器１０１を側面から見た時の模式図である。図７（ｂ）は、Ｂ部拡大図である。電池パック９０１は、上ケース部材９０２及び下ケース部材９０３を結合させたパーティングライン９０４ｂが凸状部９０４ａに表れている。
【先行技術文献】
【特許文献】
【０００７】
【特許文献１】特開２００９−２２４０７２号公報
【発明の概要】
【発明が解決しようとする課題】
【０００８】
携帯電子機器のデザインや、携帯電子機器の工法によるが、携帯電子機器にパーティングラインが表れていないのに、電池パックのみにパーティングラインが表れた状態となっている。すなわち、電池パックが携帯電子機器に装着された状態で統一感が欠けたデザインとなっている。電池パックのパーティングラインを隠すために、電池パックの上に化粧板などを形成することが考えられるが、電池パックと化粧板の勘合力が不足するため、化粧板が壊れてしまうなどの問題が生じる。
【０００９】
本発明は上記の課題に鑑みてなされたものであって、上ケース部材及び下ケース部材の勘合力を損なわれず、携帯電子機器に装着された状態での統一感のあるデザインを確保することができる電池パックを提供することを目的とする。
【課題を解決するための手段】
【００１０】
上記課題を解決するため、本発明は、皿状をした第１のケース部材と第２のケース部材の開口縁同士を突き合わせて構成されるケースと、前記ケース内に収納される素電池と、
を備え、機器装着時に前記ケースの一部が前記機器の外方に露出する露出部を有する電池パックであって、前記第１のケース部材は、前記露出部が配置され、更に前記露出部の裏面に接合された第１の勘合部とを有し、前記第２のケース部材は、前記第１の勘合部と勘合する第２の勘合部を有している構成とした。
【００１１】
ここで、前記第１の勘合部は、前記露出部の裏面に接合されて、前記第１のケース部材の底面から開口縁方向に延びたリブと、前記リブに接合されて、前記露出部に平行な勘合板とを有し、前記第２の勘合部は、前記露出部と、前記リブと、前記勘合板で形成された空間に挿入される構成とすることもできる。
【００１２】
前記露出部の裏面に接合されたリブをｎ（ｎ＝１以上の整数）個有し、前記第２の勘合部をｎ＋１個に分ける構成とすることもできる。
【発明の効果】
【００１３】
以上の構成を持つ本発明の電池パックによれば、第一に、前記ケースにおける第１のケース部材の露出部の裏面に接合された第１の勘合部と、第２のケース部材の第２の勘合部で勘合している。これにより、上ケース部材及び下ケース部材の勘合力を損なわれず、電池パックが携帯電子機器に装着された状態での統一感のあるデザインを確保することができる。
【図面の簡単な説明】
【００１４】
【図１】本発明の実施の形態１に係る電池パック１の展開斜視図である。
【図２】本発明の実施の形態１に係る電池パック１が携帯電子機器１０１に装着された状態を表す模式図である。
【図３】本発明の実施の形態１に係る電池パック１の上ケース部材２の凸状部２ａの斜視図である。
【図４】本発明の実施の形態１に係る電池パック１の下ケース部材３の凸状部３ａの斜視図である。
【図５】従来技術に係る電池パック９０１の展開斜視図である。
【図６】従来技術に係る電池パック９０１が携帯電子機器１０１に装着された状態を表す背面図である。
【図７】従来技術に係る電池パック９０１が携帯電子機器１０１に装着された状態を表す模式図である。
【発明を実施するための形態】
【００１５】
本発明を実施するための形態を、図面を参照して詳細に説明する。
（実施の形態１）
＜電池パック１の全体構成＞
図１は、電池パック１の展開斜視図である。図１に示すように、電池パック１は、皿状をした樹脂製の上ケース部材２及び下ケース部材３によりケース４が構成されている。上ケース部材２及び下ケース部材３を構成している樹脂は、ポリカーボネート樹脂、ポリアミド樹脂、ＡＢＳ樹脂等の樹脂、これらの共重合体やアロイからなる難燃性の樹脂である。ケース４の内方には、Ｘ軸方向及びＹ軸方向に各３本の合計９本の円筒型電池５（以下、「素電池５」と記す。）とそれら素電池５の端子間を接続するリード板９（不図示）が収納されている。上ケース部材２及び下ケース部材３の肉厚ｔ２は０．８ｍｍである。
【００１６】
下ケース部材３は図１における手前側の壁部に窓部があり、窓部と最も手前側の３本の素電池５との間には、回路基板６が挿入されている。回路基板６には携帯電子機器１０１との接続に供されるコネクタ７が実装されていて、コネクタ７が下ケース部材３の外部に露出する構造となっている。
【００１７】
下ケース部材３にはコネクタ７と反対側（奥側）後方から張り出す凸状部３ａがあり、上ケース部材２にも、この部分に同様に後方から張り出す凸状部２ａがある。
【００１８】
そして、上ケース部材２と下ケース部材３をそれらの開口縁同士を突き合わせて接合することで電池パック１のケース４を形成した際に、ケース４の凸状部４ａがＹ軸方向の外向きに張り出す。この張り出し方向であるＹ軸方向は、機器装着方向であるＸ軸方向と交差する方向である。
【００１９】
凸状部４ａは、携帯電子機器１０１に装着された状態でも、外部に露出しているため、電池パック１が装着された携帯電子機器１０１のデザインに影響することとなる。
【００２０】
そこで、図１に示すように、実施の形態１の電池パック１では、上ケース部材２の凸状部２ａには勘合部のみが、下ケース部材３の凸状部３ａには露出部３ｃと、露出部３ｃの裏面側、ケース内部側に勘合部がある構成になっている。
【００２１】
図２（ａ）は、上ケース部材２と下ケース部材３とが勘合された電池パック１で、電池パック１の側面を見た斜視図である。図２（ｂ）は、Ｂ部拡大図である。
【００２２】
図２のように、上ケース部材２の天面と下ケース部材３の凸状部３ａとの角部に、パーティングラインが配置されているため、ケース４の凸状部４ａには、上ケース部材２と下ケース部材３とが勘合したパーティングラインが表れ難い状態になっている。
【００２３】
＜凸状部２ａ＞
次に、上ケース部材２の凸状部２ａについて説明する。凸状部２ａは、上ケース部材２を金型で成形するときに一体成形されており、天面と連結されている。
【００２４】
図３は、上ケース部材２の凸状部２ａの斜視図である。ケース４の凸状部４ａより少し内側に２つに分かれた勘合部２ｂが構成されている。この勘合部２ｂは、下ケース部材３との勘合力を確保するため、ケース４の凸状部４ａとほぼ同じ大きさになっている。
【００２５】
＜凸状部３ａ＞
次に、下ケース部材３の凸状部３ａについて説明する。凸状部３ａは、下ケース部材３を金型で成形するときに一体成形されており、底面と連結されている。
【００２６】
図４は、下ケース部材３の凸状部３ａの斜視図である。ケース４の凸状部４ａとなる露出部３ｃが配置され、更に前記露出部３ｃの裏面に接合された勘合部３ｂとを有している。勘合部３ｂは、露出部３ｃの裏面に接合されて、下ケース部材３の底面から開口縁方向に延びたリブ３ｄと、リブ３ｄに接合されて、露出部３ｃに平行な勘合板３ｅとを有している。
【００２７】
＜勘合部２ｂと勘合部３ｂの勘合について＞
勘合部２ｂと勘合部３ｂの勘合について説明する。下ケース部材３の露出部３ｃと、リブ３ｄと、勘合板３ｅで形成された２つの空間に、上ケース部材２の２つに分かれた勘合部２ｂが各々挿入される。そして、勘合部２ｂの先端の掛り部が勘合部３ｂの勘合板３ｅに掛ることで、勘合部２ｂと勘合部３ｂの勘合が行われる。
【００２８】
この勘合部２ｂと勘合部３ｂの勘合により、上ケース部材２と下ケース部材３を勘合するのに充分な勘合力を確保することができる。また、ケース４の凸状部４ａは下ケース部材３の露出部３ｃのみで形成されているので、上ケース部材２と下ケース部材３のパーティングラインを見え難くすることができ、電池パック１を携帯電子機器１０１に装着された状態での統一感のあるデザインを確保することができる。
【００２９】
なお、本実施の形態において、下ケース部材３に露出部３ｃを設けるとしたが、上ケース部材に露出部を設けるとしてもよい。その場合は、下ケース部材の底面と上ケース部材の凸状部との角部に、パーティングラインが配置されることになるので、電池パック１を搭載した携帯電子機器１０１の上面から見るときに、パーティングラインをより見え難くすることができる。
【００３０】
なお、本実施の形態において、下ケース部材３の露出部３ｃの裏面のリブ３ｄが１個で、上ケース部材２の勘合部２ｂが２つに分かれるとしたが、リブ３ｄを２個以上とし、勘合部２ｂを３個以上に分かれるとしてもよい。リブ３ｄが多くなるほど、露出部３ｃと多くの場所で接続されているので、勘合部２ｂと勘合部３ｂの勘合力を強くすることができる。
【００３１】
また、言い換えると、露出部３ｃの裏面に接合されたリブ３ｄをｎ（ｎ＝１以上の整数）個有し、勘合部２ｂは、ｎ＋１個に分かれることで、勘合部２ｂと勘合部３ｂの勘合力を強くすることができる。
【産業上の利用可能性】
【００３２】
本発明の電池パックは、ノートブック型ＰＣをはじめ、携帯電話機、トランシーバー、携帯情報端末（ＰＤＡ）、デジタルスチルカメラ等の携帯電子機器の主電源として利用することが可能である。
【符号の説明】
【００３３】
１      電池パック
２      上ケース部材
２ａ    凸状部
２ｂ    勘合部
３      下ケース部材
３ａ    凸状部
３ｂ    勘合部
３ｃ    露出部
３ｄ    リブ
３ｅ    勘合板
４      ケース
４ａ    凸状部
５      素電池
６      回路基板
７      コネクタ
１０１  携帯電子機器
【図１】
2014216155.tif 000003
【図２】
2014216155.tif 000004
【図３】
2014216155.tif 000005
【図４】
2014216155.tif 000006
【図５】
2014216155.tif 000007
【図６】
2014216155.tif 000008
【図７】
2014216155.tif 000009